(57)【要約】【課題】補正電圧の印加による表示期間毎の液晶素子の透過率変化を抑えつつリバースチルトドメインを低減させるように、各表示期間に対応した映像信号を補正する。【解決手段】映像処理回路３０は、ノーマリーブラックモードにおいて、映像信号Ｖid-inで指定される入力映像信号で指定される前記印加電圧が第１電圧である第１画素と、前記印加電圧が前記第１電圧よりも高い第２電圧である第２画素との境界を検出する境界検出部と、前記境界検出部により検出された境界に接する前記第１画素に対応する前記液晶素子の印加電圧を指定する映像信号を、当該映像信号の表示期間の少なくとも一部の期間において、当該印加電圧に応じた当該印加電圧よりも高い補正電圧を指定する映像信号に補正する補正部とを備えることを特徴とする。【選択図】図１
2013205493.tif 000002
【特許請求の範囲】
【請求項１】
画素毎に液晶素子の印加電圧を指定する入力映像信号を補正し、補正した映像信号に基づいて前記液晶素子の印加電圧をそれぞれ規定する映像処理回路であって、
入力映像信号で指定される前記印加電圧が第１電圧である第１画素と、前記印加電圧が前記第１電圧よりも高い第２電圧である第２画素との境界を検出する境界検出部と、
前記境界検出部により検出された境界に接する前記第１画素に対応する前記液晶素子の印加電圧を指定する映像信号を、当該映像信号の表示期間の少なくとも一部の期間において、当該印加電圧に応じた当該印加電圧よりも高い補正電圧を指定する映像信号に補正する補正部と
を備えることを特徴とする映像処理回路。
【請求項２】
前記補正部は、
前記境界検出部により検出された境界に接する前記第２画素に対応する前記液晶素子の印加電圧を指定する映像信号を、当該映像信号に対応した表示期間の少なくとも一部の期間において、当該印加電圧に応じた当該印加電圧よりも低い補正電圧を指定する映像信号に補正する
ことを特徴とする請求項１に記載の映像処理回路。
【請求項３】
画素毎に液晶素子の印加電圧を指定する入力映像信号を補正し、補正した映像信号に基づいて前記液晶素子の印加電圧をそれぞれ規定する映像処理回路であって、
入力映像信号で指定される前記印加電圧が第１電圧である第１画素と、前記印加電圧が前記第１電圧よりも高い第２電圧である第２画素との境界を検出する境界検出部と、
前記境界検出部により検出された境界に接する前記第２画素に対応する前記液晶素子の印加電圧を指定する映像信号を、当該映像信号の表示期間の少なくとも一部の期間において、当該印加電圧に応じた当該印加電圧よりも低い補正電圧を指定する映像信号に補正する補正部と
を備えることを特徴とする映像処理回路。
【請求項４】
前記補正部は、
前記第１画素の前記印加電圧が高いほど、当該第１画素の前記補正電圧を低くする
ことを特徴とする請求項１又は２に記載の映像処理回路。
【請求項５】
前記補正部は、
前記境界検出部により検出された境界に接する前記第１画素から当該境界の反対方向に連続するＭ個（Ｍは２以上の整数）の画素の前記映像信号を、当該Ｍ個の前記第１画素のうちいずれか１の前記第１画素に応じた前記補正電圧を指定する映像信号に補正する
ことを特徴とする請求項４に記載の映像処理回路。
【請求項６】
前記補正部は、
前記第１画素の前記印加電圧に関わらず、前記補正電圧を印加したときの前記液晶素子の透過率を前記表示期間にわたって時間積分した積分透過率が第１閾値以下となるように、前記第１画素に対応する前記映像信号を補正する
ことを特徴とする請求項１から５のいずれか１項に記載の映像処理回路。
【請求項７】
前記補正部は、
前記第２画素の前記印加電圧が低いほど、当該第２画素の前記補正電圧を高くする
ことを特徴とする請求項２又は３に記載の映像処理回路。
【請求項８】
前記補正部は、
前記境界検出部により検出された境界に接する前記第２画素から当該境界の反対方向に連続するＮ個（Ｎは２以上の整数）の画素の前記映像信号を、当該Ｎ個の前記第２画素のうちいずれか１の前記第２画素に応じた前記補正電圧を指定する映像信号に補正する
ことを特徴とする請求項７に記載の映像処理回路。
【請求項９】
前記補正部は、
前記第２画素の前記印加電圧に関わらず、前記補正電圧を印加したときの前記液晶素子の透過率を前記表示期間にわたって時間積分した積分透過率が第２閾値以上となるように、前記第２画素に対応する前記映像信号を補正する
ことを特徴とする請求項２，３，７又は８に記載の映像処理回路。
【請求項１０】
前記補正部は、
前記液晶素子の温度を示す情報を取得し、取得した情報が示す温度に応じて前記補正電圧を異ならせる
ことを特徴とする請求項１から９のいずれか１項に記載の映像処理回路。
【請求項１１】
画素毎に液晶素子の印加電圧を指定する入力映像信号を補正し、補正した映像信号に基づいて前記液晶素子の印加電圧をそれぞれ規定する映像処理方法であって、
入力映像信号で指定される前記印加電圧が第１電圧である第１画素と、前記印加電圧が前記第１電圧よりも高い第２電圧である第２画素との境界を検出し、
検出した境界に接する前記第１画素に対応する前記液晶素子の印加電圧を指定する映像信号を、当該映像信号の表示期間の少なくとも一部の期間において、当該印加電圧に応じた当該印加電圧よりも高い補正電圧を指定する映像信号に補正する
ことを特徴とする映像処理方法。
【請求項１２】
画素毎に液晶素子の印加電圧を指定する入力映像信号を補正し、補正した映像信号に基づいて前記液晶素子の印加電圧をそれぞれ規定する映像処理方法であって、
入力映像信号で指定される前記印加電圧が第１電圧である第１画素と、前記印加電圧が前記第１電圧よりも高い第２電圧である第２画素との境界を検出し、
検出した境界に接する前記第２画素に対応する前記液晶素子の印加電圧を指定する映像信号を、当該映像信号の表示期間の少なくとも一部の期間において、当該印加電圧に応じた当該印加電圧よりも低い補正電圧を指定する映像信号に補正する
ことを特徴とする映像処理方法。
【請求項１３】
複数の画素の各々に対応して画素電極が設けられた第１基板と、コモン電極が設けられた第２基板とで液晶を挟持し、前記画素電極、前記液晶及び前記コモン電極で液晶素子が構成された液晶パネルと、
画素毎に液晶素子の印加電圧を指定する入力映像信号を補正し、補正した映像信号に基づいて前記液晶素子の印加電圧をそれぞれ規定する映像処理回路と
を有する液晶表示装置を備え、
前記映像処理回路が、
入力映像信号で指定される前記印加電圧が第１電圧である第１画素と、前記印加電圧が前記第１電圧よりも高い第２電圧である第２画素との境界を検出する境界検出部と、
前記境界検出部により検出された境界に接する前記第１画素に対応する前記液晶素子の印加電圧を指定する映像信号を、当該映像信号の表示期間の少なくとも一部の期間において、当該印加電圧に応じた当該印加電圧よりも高い補正電圧を指定する映像信号に補正する補正部と
を有することを特徴とする電子機器。
【請求項１４】
複数の画素の各々に対応して画素電極が設けられた第１基板と、コモン電極が設けられた第２基板とで液晶を挟持し、前記画素電極、前記液晶及び前記コモン電極で液晶素子が構成された液晶パネルと、
画素毎に液晶素子の印加電圧を指定する入力映像信号を補正し、補正した映像信号に基づいて前記液晶素子の印加電圧をそれぞれ規定する映像処理回路と
を有する液晶表示装置を備え、
前記映像処理回路が、
入力映像信号で指定される前記印加電圧が第１電圧である第１画素と、前記印加電圧が前記第１電圧よりも高い第２電圧である第２画素との境界を検出する境界検出部と、
前記境界検出部により検出された境界に接する前記第２画素に対応する前記液晶素子の印加電圧を指定する映像信号を、当該映像信号の表示期間の少なくとも一部の期間において、当該印加電圧に応じた当該印加電圧よりも低い補正電圧を指定する映像信号に補正する補正部と
を有することを特徴とする電子機器。
【発明の詳細な説明】
【技術分野】
【０００１】
本発明は、液晶パネルにおける表示上の不具合を低減する技術に関する。
【背景技術】
【０００２】
液晶パネルは、画素毎に設けられた画素電極と、複数画素で共通に設けられたコモン電極とで液晶を挟持した構成を有している。このような液晶パネルでは、互いに隣接する画素電極同士で生じる横電界に起因する液晶の配向不良（リバースチルトドメイン）が発生し、これが表示上の不具合の原因となることがある。液晶の配向不良による表示上の不具合の発生を抑える技術が特許文献１及び特許文献２に開示されている。特許文献１及び特許文献２は、横電界が強く掛かる画素のうち、液晶配向（無機配向膜）の蒸着方向により画質不良が発生しやすい画素に生じる横電界を低減させることを開示している。
【先行技術文献】
【特許文献】
【０００３】
【特許文献１】特開２００９−２３７３６６号公報
【特許文献２】特開２０１０−１９１１５７号公報
【発明の概要】
【発明が解決しようとする課題】
【０００４】
ところで、補正対象画素に起因する表示内容の変化は、補正電圧の印加による液晶素子の透過率の変化量をその印加時間で時間積分した値が大きいほど、ユーザーに知覚されやすい。特許文献１及び特許文献２が開示する技術では、補正対象画素において、各映像信号に対応した表示期間全体にわたって液晶素子に一定の補正電圧が印加されるため、液晶素子の印加電圧の補正を原因とした透過率変化が大きくなり、元の映像信号で規定される表示内容とは異なる表示内容がユーザーに知覚されやすいと考えられる。
本発明は、上述した事情に鑑みてなされたもので、その目的の一つは、補正電圧の印加による表示期間毎の液晶素子の透過率変化を抑えつつリバースチルトドメインを低減させるように、各表示期間に対応した映像信号を補正することである。
【課題を解決するための手段】
【０００５】
上記目的を達成するために、本発明に係る映像処理回路は、画素毎に液晶素子の印加電圧を指定する入力映像信号を補正し、補正した映像信号に基づいて前記液晶素子の印加電圧をそれぞれ規定する映像処理回路であって、入力映像信号で指定される印加電圧が第１電圧を下回る第１画素と、前記印加電圧が前記第１電圧よりも大きい第２電圧を上回る第２画素との境界を検出する境界検出部と、前記境界検出部により検出された境界に接する前記第１画素に対応する前記液晶素子の印加電圧を指定する映像信号を、当該映像信号の表示期間の一部を補正期間として、当該印加電圧に応じた当該印加電圧よりも高い補正電圧を指定する映像信号に補正する補正部とを備えることを特徴とする。
本発明によれば、第１画素の印加電圧に応じてリバースチルトドメインの発生の原因となる横電界の掛かり方が異なるため、各表示期間の少なくとも一部において第１画素の印加電圧に応じた補正電圧を印加することで、表示期間毎の液晶素子の透過率変化を抑えつつリバースチルトドメインを低減させることが可能となる。
【０００６】
この発明において、前記補正部は、前記境界検出部により検出された境界に接する前記第２画素に対応する前記液晶素子の印加電圧を指定する映像信号を、当該映像信号に対応した表示期間の一部を補正期間として、当該印加電圧に応じた当該印加電圧よりも低い補正電圧を指定する映像信号に補正してもよい。
本発明によれば、隣接する第１画素及び第２画素のそれぞれを横電界の強度を低くする方向に補正することができるので、第１画素及び第２画素の補正による映像信号の変化を抑えつつ、リバースチルトドメインを低減する効果を大きくすることができる。
【０００７】
本発明に係る映像処理回路は、画素毎に液晶素子の印加電圧を指定する入力映像信号を補正し、補正した映像信号に基づいて前記液晶素子の印加電圧をそれぞれ規定する映像処理回路であって、入力映像信号で指定される印加電圧が第１電圧を下回る第１画素と、前記印加電圧が前記第１電圧よりも大きい第２電圧を上回る第２画素との境界を検出する境界検出部と、前記境界検出部により検出された境界に接する前記第２画素に対応する前記液晶素子の印加電圧を指定する映像信号を、当該映像信号の表示期間の一部を補正期間として、当該印加電圧に応じた当該印加電圧よりも低い補正電圧を指定する映像信号に補正する補正部とを備えることを特徴とする。
本発明によれば、第２画素の印加電圧に応じてリバースチルトドメインの発生の原因となる横電界の掛かり方が異なるため、各表示期間の少なくとも一部において第２画素の印加電圧に応じた補正電圧を印加することで、表示期間毎の液晶素子の透過率変化を抑えつつリバースチルトドメインを低減させることが可能となる。
【０００８】
本発明において、前記補正部は、前記第１画素の前記印加電圧が高いほど、当該第１画素の前記補正電圧を低くしてもよい。
本発明によれば、横電界が強くなりやすい第１画素ほどリバースチルトドメインの低減効果を大きくするために補正電圧を高くし、横電界が強くなりにくい第１画素ほど表示内容の変化を抑制するために補正電圧を低くするから、液晶素子の透過率変化の抑制とリバースチルトドメインの低減とをバランスよく実現することが可能となる。
【０００９】
本発明において、前記補正部は、前記境界検出部により検出された境界に接する前記第１画素から当該境界の反対方向に連続するＭ個（Ｍは２以上の整数）の画素の前記映像信号を、当該Ｍ個の前記第１画素のうちいずれか１の前記第１画素に応じた前記補正電圧を指定する映像信号に補正してもよい。
本発明によれば、複数の第１画素が補正の対象となる場合に、いずれか１の第１画素に基づいて補正電圧を設定するから、第１画素毎に補正電圧を設定する場合に比べて演算量を少なくすることができる。
【００１０】
本発明において、前記補正部は、前記第１画素の前記印加電圧に関わらず、前記補正電圧を印加したときの前記液晶素子の透過率を前記表示期間にわたって時間積分した積分透過率が第１閾値以下となるように、前記第１画素に対応する前記映像信号を補正してもよい。
本発明によれば、液晶素子の透過率を表示期間にわたって時間積分した積分透過率が第１閾値以下となるようにすることにより、ユーザーに知覚されやすい表示内容の変化が発生しない範囲で、リバースチルトドメインを低減させるための補正を行うことができる。
【００１１】
本発明において、前記補正部は、前記第２画素の前記印加電圧が低いほど、当該第２画素の前記補正電圧を高くしてもよい。
本発明によれば、横電界が強くなりやすい第２画素ほどリバースチルトドメインの低減効果を大きくするために補正電圧を低くし、横電界が強くなりにくい第２画素ほど表示内容の変化を抑制するために補正電圧を高くするから、液晶素子の透過率変化の抑制とリバースチルトドメインの低減とをバランスよく実現することが可能となる。
【００１２】
本発明において、前記補正部は、前記境界検出部により検出された境界に接する前記第２画素から当該境界の反対方向に連続するＮ個（Ｎは２以上の整数）の画素の前記映像信号を、当該Ｎ個の前記第２画素のうちいずれか１の前記第２画素に応じた前記補正電圧を指定する映像信号に補正してもよい。
本発明によれば、複数の第２画素が補正の対象となる場合に、いずれか１の第２画素に基づいて補正電圧を設定するから、第２画素毎に補正電圧を設定する場合に比べて演算量を少なくすることができる。
【００１３】
本発明において、前記補正部は、前記第２画素の前記印加電圧に関わらず、前記補正電圧を印加したときの前記液晶素子の透過率を前記表示期間にわたって時間積分した積分透過率が第２閾値以上となるように、前記第２画素に対応する前記映像信号を補正してもよい。
本発明によれば液晶素子の透過率を表示期間にわたって時間積分した積分透過率が第２閾値以上となるようにすることにより、ユーザーに知覚されやすい表示内容の変化が発生しない範囲で、リバースチルトドメインを低減させるための補正を行うことができる。
【００１４】
本発明において、前記補正部は、前記液晶素子の温度を示す情報を取得し、取得した情報が示す温度に応じて前記補正電圧を異ならせてもよい。
本発明によれば、温度に応じて粘度が変化するという液晶分子の特性に基づいて、表示内容の変化を抑えつつリバースチルトドメインを低減させるための補正電圧を設定することができる。
【００１５】
なお、本発明は、映像処理回路のほか、映像処理方法及び液晶表示装置を含む電子機器としても概念することが可能である。
【図面の簡単な説明】
【００１６】
【図１】本発明の第１実施形態に係る映像処理回路を適用した液晶表示装置を示す図。
【図２】同液晶表示装置における液晶素子の等価回路を示す図。
【図３】同映像処理回路の構成を示す図。
【図４】同液晶表示装置を構成する液晶パネルのＶ−Ｔ特性を示す図。
【図５】同液晶パネルにおける表示動作を示す図。
【図６】同液晶パネルにおいてＶＡ方式としたときの初期配向の説明図。
【図７】オリジナル階調に対応する印加電圧と補正階調に対応する補正電圧との関係を示す図。
【図８】同映像処理回路における境界の検出手順の説明図。
【図９】同映像処理回路における境界の検出手順の説明図。
【図１０】同映像処理回路における補正対象境界及び補正対象画素の説明図。
【図１１】同映像処理回路における補正期間の説明図。
【図１２】同映像処理回路における補正電圧の説明図。
【図１３】第１実施形態の変形例１に係る映像処理回路における補正電圧の説明図。
【図１４】第２実施形態に係る映像処理回路における補正対象境界及び補正対象画素の説明図。
【図１５】同映像処理回路における補正期間の説明図。
【図１６】同映像処理回路における補正電圧の説明図。
【図１７】第２実施形態の変形例１に係る映像処理回路における補正電圧の説明図。
【図１８】第３実施形態に係る映像処理回路における補正対象境界及び補正対象画素の説明図。
【図１９】同映像処理回路における補正期間の説明図。
【図２０】液晶表示装置を適用したプロジェクターを示す図。
【図２１】横電界の影響による表示上の不具合等を示す図。
【図２２】通常の４倍速駆動での入出力の映像信号の関係の説明図。
【図２３】リスク境界の時間的連続性を分断する補正処理の一例の説明図。
【図２４】オリジナル階調と補正階調とに対応する積分透過率の説明図。
【発明を実施するための形態】
【００１７】
以下、本発明の実施の形態について図面を参照しつつ説明する。
＜第１実施形態＞
まず、本発明の第１実施形態について説明する。
図１は、本実施形態に係る映像処理回路を適用した液晶表示装置１の全体構成を示すブロック図である。
図１に示すように、液晶表示装置１は、制御回路１０と、液晶パネル１００と、走査線駆動回路１３０と、データ線駆動回路１４０とを備える。制御回路１０には、映像信号Ｖid-inが上位装置から同期信号Ｓyncに同期して供給される。映像信号Ｖid-inは、液晶パネル１００における各画素の階調レベルをそれぞれ指定するデジタルデータであり、同期信号Ｓyncに含まれる垂直走査信号、水平走査信号及びドットクロック信号（いずれも図示省略）に従った走査の順番で供給される。本実施形態では、映像信号Ｖid-inが供給される周波数が６０Ｈｚであり、その逆数である周期１６．６７ミリ秒で１フレーム（１コマ）の画像を表示するための映像信号Ｖid-inが供給される。
なお、映像信号Ｖid-inは階調レベルを指定するが、階調レベルに応じて液晶素子の印加電圧が定まるので、映像信号Ｖid-inは液晶素子の印加電圧を指定するものといって差し支えない。以下の説明において、映像信号の階調レベルが高いほど液晶素子に対して指定する印加電圧が大きいものとする。
【００１８】
制御回路１０は、走査制御回路２０と映像処理回路３０とを備える。走査制御回路２０は、各種の制御信号を生成して、同期信号Ｓyncに同期して各部を制御する。映像処理回路３０は、詳細については後述するが、デジタルの映像信号Ｖid-inを処理して、アナログのデータ信号Ｖxを出力する。
【００１９】
液晶パネル１００は、素子基板（第１基板）１００ａと対向基板（第２基板）１００ｂとが一定の間隙を保って貼り合わせられるとともに、この間隙に、縦方向の電界で駆動される液晶１０５が挟持された構成である。素子基板１００ａのうち、対向基板１００ｂとの対向面には、複数ｍ行の走査線１１２が図においてＸ（横）方向に沿って設けられる一方、複数ｎ列のデータ線１１４が、Ｙ（縦）方向に沿って、且つ各走査線１１２と互いに電気的に絶縁を保つように設けられている。
なお、この実施形態では、走査線１１２を区別するために、図において上から順に１、２、３、…、（ｍ−１）、ｍ行目という呼び方をする場合がある。同様に、データ線１１４を区別するために、図において左から順に１、２、３、…、（ｎ−１）、ｎ列目という呼び方をする場合がある。
【００２０】
素子基板１００ａでは、さらに、走査線１１２とデータ線１１４との交差のそれぞれに対応して、ｎチャネル型のＴＦＴ１１６と矩形形状で透明性を有する画素電極１１８との組が設けられている。ＴＦＴ１１６のゲート電極は走査線１１２に接続され、ソース電極はデータ線１１４に接続され、ドレイン電極が画素電極１１８に接続されている。一方、対向基板１００ｂのうち、素子基板１００ａとの対向面には、透明性を有するコモン電極１０８が全面にわたって設けられる。コモン電極１０８には、図示省略した回路によって電圧ＬＣcomが印加される。
なお、図１において、素子基板１００ａの対向面は紙面裏側であるので、当該対向面に設けられる走査線１１２、データ線１１４、ＴＦＴ１１６及び画素電極１１８については、破線で示すべきであるが、見難くなるのでそれぞれ実線で示す。
【００２１】
図２は、液晶パネル１００における等価回路を示す図である。
図２に示すように、液晶パネル１００は、走査線１１２とデータ線１１４との交差に対応して、画素電極１１８とコモン電極１０８とで液晶１０５を挟持した液晶素子１２０が配列した構成である。図１では省略したが、液晶パネル１００における等価回路では、実際には図２に示すように、液晶素子１２０に対して並列に補助容量（蓄積容量）１２５が設けられる。補助容量１２５は、一端が画素電極１１８に接続され、他端が容量線１１５に共通接続されている。容量線１１５は時間的に一定の電圧に保たれている。
ここで、走査線１１２がＨレベルになると、その走査線にゲート電極が接続されたＴＦＴ１１６がオンとなり、画素電極１１８がデータ線１１４に接続される。このため、走査線１１２がＨレベルであるときに、データ線１１４に階調に応じた電圧のデータ信号を供給すると、そのデータ信号は、オンしたＴＦＴ１１６を介して画素電極１１８に印加される。走査線１１２がＬレベルになると、ＴＦＴ１１６はオフするが、画素電極１１８に印加された電圧は、液晶素子１２０の容量性及び補助容量１２５によって保持される。
液晶素子１２０では、画素電極１１８及びコモン電極１０８によって生じる電界に応じて液晶１０５の分子配向状態が変化する。このため、液晶素子１２０は、透過型であれば、印加・保持電圧に応じた透過率となる。液晶パネル１００では、液晶素子１２０毎に透過率が変化するので、液晶素子１２０が画素に相当する。そして、この画素の配列領域が表示領域１０１となる。
なお、本実施形態においては、液晶１０５をＶＡ方式として、液晶素子１２０が電圧無印加時において黒状態となるノーマリーブラックモードとする。
【００２２】
図１に戻って、走査線駆動回路１３０は、走査制御回路２０による制御信号Ｙctrにしたがって、１、２、３、…、ｍ行目の走査線１１２に、走査信号Ｙ１、Ｙ２、Ｙ３、…、Ｙｍを供給する。詳細には、走査線駆動回路１３０は、図５（ａ）に示すように、走査線１１２をフレームにわたって１、２、３、…、（ｍ−１）、ｍ行目という順番で選択するとともに、選択した走査線への走査信号を選択電圧ＶＨ（Ｈレベル）とし、それ以外の走査線への走査信号を非選択電圧ＶＬ（Ｌレベル）とする。
なお、フレームとは、液晶パネル１００を駆動することによって、画像の１コマ分を液晶パネル１００に表示させるのに要する期間をいう。本実施形態では、同期信号Ｓynｃにより制御される垂直走査信号の周波数が２４０Ｈｚである。図５（ａ）に示すように、本実施形態の液晶表示装置１では、１フレームをそれぞれ第１フィールド〜第４フィールドまでの４つのフィールドに分けるとともに、各フィールドで、１〜ｍ行目の走査線を走査する、いわゆる４倍速駆動を実現する。すなわち、上位装置から６０Ｈｚの供給速度で供給される映像信号Ｖid-inに基づいて、液晶表示装置１が２４０Ｈｚの駆動速度で液晶パネル１００を駆動することで、映像信号Ｖid-inに基づいて１フレームの画像を表示することとなる。１フィールドの期間は、１／４フレーム期間に相当し、ここではおよそ４．１６ミリ秒である。また、図５（ｂ）に示すように、液晶表示装置１では、第１，３フィールドにおいて正極性書込を指定し、第２，４フィールドにおいて負極性書込を指定し、フィールド毎に書込極性を反転して、画素へのデータの書き込みを行う。
【００２３】
データ線駆動回路１４０は、映像処理回路３０から供給されるデータ信号Ｖxを、走査制御回路２０による制御信号Ｘctrにしたがって１〜ｎ列目のデータ線１１４にデータ信号Ｘ1〜Ｘnとしてサンプリングする。
なお、本説明において電圧については、液晶素子１２０の印加電圧を除き、特に明記しない限り図示省略した接地電位を電圧ゼロの基準とする。液晶素子１２０の印加電圧は、コモン電極１０８の電圧ＬＣcomと画素電極１１８との電位差であり、他の電圧と区別するためである。
【００２４】
さて、液晶素子１２０の印加電圧と透過率との関係は、ノーマリーブラックモードであれば、例えば図４（ａ）に示すようなＶ−Ｔ特性で表される。このため、液晶素子１２０を、映像信号Ｖid-inで指定された階調レベルに応じた透過率とさせるには、その階調レベルに応じた電圧を液晶素子１２０に印加すればよいはずである。しかしながら、液晶素子１２０の印加電圧を、映像信号Ｖid-inで指定される階調レベルに応じて単に規定するだけでは、リバースチルトドメインに起因する表示上の不具合が発生する場合がある。
【００２５】
リバースチルトドメインに起因する表示上の不具合の例について説明する。例えば図２１に示すように、映像信号Ｖid-inで示す画像が、白画素を背景として黒画素が連続する黒パターンがフレーム毎に１画素ずつ右方向に移動する場合、その黒パターンの左端縁部（動きの後縁部）において黒画素から白画素に変化すべき画素がリバースチルトドメインの発生によって白画素にならない、という一種の尾引き現象として顕在化しやすい。一方で、液晶パネル１００が、白画素を背景とした黒画素の領域がフレーム毎に２画素以上ずつ移動するとき、液晶素子の応答時間が表示画面が更新される時間間隔（つまり、１フレーム期間）より短ければ、このような尾引き現象は顕在化しない（または、視認されにくい）。この理由は、次のように考えられる。すなわち、あるフレームにおいて、白画素と黒画素とが隣接したときに、その白画素でリバースチルトドメインが発生するかもしれないが、画像の動きを考えると、リバースチルトドメインが発生する画素が離散的となるので、視覚的に目立たない、と考えられるからである。
【００２６】
ところで、リバースチルトドメインに起因する表示上の不具合は、液晶素子１２０において挟持された液晶分子が不安定な状態にあるときに、横電界の影響によって乱れる結果、以後、印加電圧に応じた配向状態になりにくくなることが原因のひとつとして考えられている。
ここで、横電界の影響を受ける場合とは、互いに隣り合う画素電極同士の電位差が大きくなる場合であり、これは、表示しようとする画像において黒レベルの（または黒レベルに近い）暗画素と、白レベルの（または白レベルに近い）明画素とが隣接する場合である。そこで本実施形態では、暗画素については、印加電圧がノーマリーブラックモードにおける黒レベルの電圧Ｖbk以上であって閾値Ｖth1（第１閾値電圧）を下回る電圧範囲Ａ（第１電圧）にある液晶素子１２０の画素をいうことにする。また、便宜的に、液晶素子の印加電圧が電圧範囲Ａにある液晶素子の透過率範囲（階調範囲）を「ａ」とする。
次に、明画素については、印加電圧が閾値Ｖth2（第２閾値電圧）以上であってノーマリーブラックモードにおける白レベル電圧Ｖwt以下の電圧範囲Ｂ（第２電圧）にある液晶素子１２０とする。便宜的に、液晶素子の印加電圧が電圧範囲Ｂにある液晶素子の透過率範囲（階調範囲）を「ｂ」とする。
なお、ノーマリーブラックモードにおいて、閾値Ｖth1は、液晶素子の相対透過率を１０％とさせる光学的閾値電圧であり、閾値Ｖth2は、液晶素子の相対透過率を９０％とさせる光学的飽和電圧である。ただし、閾値Ｖth1及び閾値Ｖth2は、Ｖth2＞Ｖth1の条件の下、それぞれ他の相対透過率に対応した電圧であってもよい。
【００２７】
このように考えた場合、画像の動きによって暗画素と明画素とが隣接することになったときの横電界の影響によって、リバースチルトドメインが発生しやすい状況にあるということができる。ただし、液晶分子の初期配向状態を考慮して検討すると、暗画素と明画素との位置関係によってリバースチルトドメインが発生する場合と発生しない場合とがある。
【００２８】
図６（ａ）は、液晶パネル１００において互いに縦方向及び横方向に隣接する２×２の画素を示す図であり、図６（ｂ）は、液晶パネル１００を、図６（ａ）におけるｐ−ｑ線を含む垂直面で破断したときの簡易断面図である。
図６に示すように、ＶＡ方式の液晶分子は、画素電極１１８とコモン電極１０８との電位差（液晶素子の印加電圧）がゼロである状態において、チルト角がθaで、チルト方位角がθb（＝４５度）で、初期配向しているものとする。ここで、リバースチルトドメインは、上述したように画素電極１１８同士の横電界に起因して発生することから、画素電極１１８が設けられた素子基板１００ａの側における液晶分子の振る舞いが問題となる。このため、液晶分子のチルト方位角及びチルト角については、画素電極１１８（素子基板１００ａ）の側を基準にして規定する。
【００２９】
詳細には、チルト角θaとは、図６（ｂ）に示すように、基板法線Ｓvを基準にして、液晶分子の長軸Ｓaのうち、画素電極１１８側の一端を固定点としてコモン電極１０８側の他端が傾斜したときに、液晶分子の長軸Ｓaがなす角度とする。
一方、チルト方位角θbとは、データ線１１４の配列方向であるＹ方向に沿った基板垂直面を基準にして、液晶分子の長軸Ｓa及び基板法線Ｓvを含む基板垂直面（ｐ−ｑ線を含む垂直面）がなす角度とする。なお、チルト方位角θbについては、画素電極１１８の側からコモン電極１０８に向けて平面視したときに、画面上方向（Ｙ方向の反対方向）から、液晶分子の長軸の一端を始点として他端に向かう方向（図６（ａ）では右上方向）までを、時計回りで規定した角度とする。
また、同様に画素電極１１８の側から平面視したときに、液晶分子における画素電極側の一端から他端に向かう方向を便宜的にチルト方位の下流側と呼び、反対に他端から一端に向かう方向（図６（ａ）では左下方向）を便宜的にチルト方位の上流側と呼ぶことにする。
【００３０】
ＶＡ方式の液晶において、図６（ａ）に示すようにチルト方位角θbが４５度である場合、自画素及び周辺画素において液晶分子が不安定な状態から自己画素だけ明画素に変化したとき、当該自己画素においてリバースチルトは、図６（ｃ）に示すように、左辺及び下辺に沿った内周領域で発生する。よって、映像信号Ｖid-inで示される画像において暗画素と明画素とが隣接し、且つ、暗画素が、明画素に対して右上側、右側または上側に位置する場合、暗画素に相当する液晶素子に対し補正電圧を印加すれば、液晶分子の配向不良状態が発生しにくくなり、リバースチルトドメインは発生しにくくなる。
【００３１】
ここで、映像信号Ｖid-in（図２２（ａ））と、映像信号Ｖid-out（図２２（ｂ））との通常の４倍速駆動での関係について説明する。図２２（ａ），（ｂ）には、１ラインの画像の画素を示しており、各矩形が１画素に対応している。ここにおいて、黒色で塗り潰して表す画素は暗画素であり、白色で塗り潰して表す画素は明画素である。
図２２（ｂ）において、映像信号Ｖid-inに対応する映像信号Ｖid-outにあっては、図中上から順に、第１，第２，第３，第４フィールドに対応する映像信号Ｖid-outをそれぞれ表している。
【００３２】
図２２（ａ）に示すように、映像信号Ｖid-inは６０Ｈｚの供給速度で供給され、この映像信号Ｖid-inにより、第１フレーム、第２フレーム、第３フレームと進むにつれて、画像が図中左から右に向かって１画素ずつスクロール移動する画像の表示を指定する。この場合、映像信号Ｖid-outが出力されたときには、図２２（ｂ）に示すように、第１〜第４フィールドにより構成される１フレーム期間の全体で（つまり、１６．６７ミリ秒にわたって）、同一箇所にリスク境界が存在する。同一位置にリスク境界が長期間にわたって存在すると、上述したように液晶分子の配向不良状態が安定しやすくなり、その隣接画素においてはリバースチルトドメインが発生しやすい状態になる。そこで、映像信号Ｖid-inで指定される印加電圧がＶth1を下回る場合に、Ｖth1以上の電圧に補正して液晶素子に印加すれば、その画素は暗画素でなくなるので、リスク境界が１フレーム期間全体で同一位置に存在することはない。
【００３３】
ここで、図２３に示すような補正処理を考える。この補正処理では、１フレーム期間のうちの第１，第３フィールドにおいて、明画素に隣接する暗画素（図２３に格子のハッチングで図示）の印加電圧を、中間階調に対応する電圧（ここでは、０Ｖと５．０Ｖとの中間である２．５Ｖとする。）に補正する。こうすれば、明画素と暗画素との境界であった箇所に第１，第３フィールドにおいて横電界が発生しないので、横電界の時間的連続性を分断することが可能である。この場合の補正対象画素の透過率の時系列変化は、図２４（ａ）に実線で示す光学応答波形のようになる。１フレーム期間全体でみた液晶素子の透過率は、補正後の階調レベル（補正階調）に対応する補正電圧と、元の画像の階調レベル（以下、「オリジナル階調」という。）に対応する電圧とが交互に印加されたときの透過率を、１フレーム期間にわたって時間積分した透過率（以下、「積分透過率」という。）に相当する。この場合の積分透過率は、図２４（ａ）に破線で示すとおりになる。
【００３４】
図２４（ａ）は、ＶＡ方式の液晶のパネルを２４０Ｈｚで駆動し、補正電圧を印加するフレーム（補正電圧印加フレーム）と、オリジナル階調に対応する電圧の印加フレームとを交互にしたときの積分透過率を示す表である。表内数字は積分透過率[％]を示す。オリジナル階調に対応する印加電圧が０Ｖであれば、第１，第３フィールドでの補正電圧（中間階調に対応する約２．５１Ｖ）の印加により、積分透過率が０％→０．６４％に変化するが、その変化は比較的小さい（図２４（ａ）の「オリジナル階調：０」の場合に対応）。一方、オリジナル階調に対応する印加電圧が約１．５６９Ｖの場合、補正電圧（２．５１Ｖ）の印加により、積分透過率が０．１８％→５．８６５％という具合に大きく変化する（図２４（ａ）の「オリジナル階調：高」の場合に対応）。このように積分透過率が大きく変化すると、補正電圧の印加による表示内容の変化がユーザーに知覚されやすくなる。よって、図２３に示すような補正処理を行う場合、従来は、補正対象画素を、オリジナル階調の映像信号を指定する印加電圧が１．２６Ｖ以下の画素に限定し（図２４（ｂ）に「使用可能範囲」で示した範囲）、さらに、補正電圧を２．２Ｖ程度に引き下げることが必要であった。しかし、この補正処理では、補正対象画素が限定的になり、更に、補正電圧として採用できる電圧範囲が狭いので、リバースチルトドメインの低減効果を十分に得られない。
【００３５】
そこで、本実施形態では、１フレーム期間の一部の期間を補正期間として、オリジナル階調に対応する印加電圧に応じてその印加電圧よりも高い補正電圧により補正処理を行う。一方、残りの期間においては、オリジナル階調に対応する印加電圧のまま（すなわち補正なし）とする。
図７は、本実施形態で採用するオリジナル階調に対応する印加電圧と補正階調に対応する補正電圧との関係を示す表である。表内数字は積分透過率[％]を示す。本実施形態では、図７に示すように、暗画素のオリジナル階調に対応する印加電圧が高いほど暗画素に対応する補正電圧を低くする。このような補正処理とすれば、図２４を用いて説明したような、映像信号Ｖid-inで指定される印加電圧に応じた補正電圧としない場合に比べて、各フレーム期間の積分透過率の変化を抑えつつ、リバースチルトドメインの低減の効果を高くすることができる。具体的には、暗画素の印加電圧が０Ｖの場合、暗画素の印加電圧が低いため、強い横電界が発生しやすく、リバースチルトドメインが発生しやすい配向状態にあると考えられる。これに対し、補正電圧を第１及び第３フィールドで２．５Ｖに引き上げたとしても、図７に示すように１フレーム期間の積分透過率は０．６４％であり、積分透過率の変化は０．６４％に留まる。また、暗画素の印加電圧が０．３１４〜１．２５５Ｖの場合、補正電圧を第１及び第３フィールドで２．１９６Ｖとすれば、積分透過率は０．１８〜０．６７％程度に留まり、補正なしの場合の積分透過率からの変化は小さい。また、暗画素の印加電圧が１．５９６Ｖの場合、補正電圧を第１及び第３フィールドで１．８８２Ｖとすれば、積分透過率は０．４６％程度に留まる。
【００３６】
以上のような補正処理とすれば、補正前後で積分透過率が０．７％以下となり、補正による表示内容の変化がユーザーに知覚されにくいと考えられる。本実施形態では、積分透過率が０．７％（第１閾値積分透過率）となるように補正電圧が定められるが、０．７％以外の積分透過率の値以下となるように補正電圧が定められてもよい。図７の表に太枠で囲んだ電圧の関係に従えば、リバースチルトドメインが発生しやすい低電位の暗画素については、リバースチルトドメインの低減効果を高めるために補正電圧を高くしても表示内容の変化は目立ちにくくなり、リバースチルトドメインが比較的発生しにくい比較的高電位の暗画素については、補正電圧を低くして表示内容の変化を目立ちにくくすることができる。
このような考えに基づいて、現フレームの映像信号Ｖid-inを処理して、液晶パネル１００でリバースチルトドメインの発生を未然に防ぐための回路が、図１における映像処理回路３０である。
【００３７】
次に、映像処理回路３０の詳細について図３を参照して説明する。図３に示すように、映像処理回路３０は、遅延回路３０２、境界検出部３０４、補正部３０６及びＤ／Ａ変換器３０８を備える。図８及び図９は、境界検出部３０４における境界の検出手順を説明する図である。
遅延回路３０２は、ＦＩＦＯ（First In First Out：先入れ先出し）メモリーや多段のラッチ回路などにより構成され、上位装置から供給される映像信号Ｖid-inを蓄積して、所定時間経過後に読み出して映像信号Ｖid-dとして出力するものである。なお、遅延回路３０２における蓄積及び読出は、走査制御回路２０によって制御される。
【００３８】
境界検出部３０４は、現フレーム境界検出部３０４１、前フレーム境界検出部３０４２、保存部３０４３、適用境界決定部３０４４、リスク境界検出部３０４５及び判別部３０４６を備える。
現フレーム境界検出部３０４１は、現フレームの映像信号Ｖid-inで示す画像を解析して、階調範囲ａにある暗画素と階調範囲ｂにある明画素とが隣接する部分があるか否かを判別する。現フレーム境界検出部３０４１は、隣接する部分があると判別したとき、その隣接部分である境界を検出して、境界の位置情報を出力する。ここでは現フレーム境界検出部３０４１は、図８（ｂ）に示すように、現フレームの映像信号Ｖid-inで示される画像を解析して、点線で示す位置にある境界を検出する。ここにおいて、映像信号Ｖid-inで示される画像は、階調範囲ｂにある明画素を背景として階調範囲ａの暗画素からなるパターンが配置された画像である。
【００３９】
前フレーム境界検出部３０４２は、前フレーム（つまり現フレームの１フレーム前）の映像信号Ｖid-inで示される画像を解析して、暗画素と明画素とが隣接する部分を境界として検出する。前フレーム境界検出部３０４２は、映像信号Ｖid-inに基づいて現フレーム境界検出部３０４１と同じ手順の処理を実行して境界を検出し、検出した境界の位置情報を出力する。
保存部３０４３は、前フレーム境界検出部３０４２によって検出された境界の位置情報を保存して、１フレーム期間だけ遅延させて出力するものである。
よって、現フレーム境界検出部３０４１で検出される境界は現フレームに係るものであるのに対し、前フレーム境界検出部３０４２で検出されて保存部３０４３に保存される境界は、前フレームに係るものとなる。ここにおいて、前フレーム境界検出部３０４２は、図８（ａ）に示すように、前フレームの映像信号Ｖid-inで示される画像を解析して、点線で示す位置にある境界を検出していたものとする。図８（ａ）及び図８（ｂ）から分かるように、映像信号Ｖid-inで示される画像は、階調範囲ａの暗画素からなるパターンが階調範囲ｂにある明画素を背景に右方向にスクロール移動する画像である。
【００４０】
適用境界決定部３０４４は、現フレーム境界検出部３０４１によって検出された現フレーム画像の境界のうち、保存部３０４３に保存された前フレーム画像の境界と同じ部分を除外したものを、適用境界として決定する。すなわち、適用境界は、前フレームから現フレームにかけて変化した境界であり、換言すれば、前フレームでは存在せず、かつ、現フレームでは存在する境界と換言される。よって、適用境界決定部３０４４は、図８（ｃ）に点線で示した位置の境界を適用境界として決定する。
【００４１】
リスク境界検出部３０４５は、現フレームの映像信号Ｖid-inで示す画像を解析して、階調範囲ａにある暗画素と階調範囲ｂにある明画素とが垂直または水平方向で隣接する部分があるか否かを判別する。そして、リスク境界検出部３０４５は、暗画素が上側に位置し明画素が下側に位置する部分と、暗画素が右側に位置し明画素が左側に位置する部分とをリスク境界として検出し、検出したリスク境界の位置情報を出力する。ここではリスク境界検出部３０４５は、図９（ａ）に示すように、現フレームの映像信号Ｖid-inで示される画像を解析して、点線で示した位置の境界をリスク境界として決定する。
【００４２】
判別部３０４６は、遅延回路３０２により遅延して出力された現フレームの映像信号Ｖid-dで示す画像における各画素が、適用境界決定部３０４４により決定された適用境界であり、且つ、リスク境界検出部３０４５により検出されたリスク境界に該当する境界（以下、「補正対象境界」という。）に接する暗画素であるか否かを判別する。判別部３０４６は、その判別結果が「Ｙｅｓ」である場合には、この暗画素について、出力信号のフラグＱを“１”として出力する。一方で、判別部３０４６は、判別結果が「Ｎｏ」である場合、この暗画素について、出力信号のフラグＱを“０”として出力する。ここでは判別部３０４６は、図９（ｂ）に破線で示す補正対象境界に接する暗画素（格子状のハッチングで示す。）について出力信号のフラグＱを“１”として出力し、それ以外の画素について出力信号のフラグＱを“０”として出力する。
境界検出部３０４の構成の説明は以上である。
【００４３】
補正部３０６は、映像信号Ｖid-dの階調レベルが予め決められた第１階調レベル（例えば、印加電圧１．６Ｖに対応する階調レベル）以下の場合に、判別部３０４６から供給されるフラグＱが“１”であるときには、１フレーム期間のうち第１及び第３フィールドにおいて、補正対象境界に接する暗画素からこの境界の反対方向に連続するＭ個（Ｍは２以上の整数。ここではＭ＝３とする。）の暗画素の映像信号Ｖid-dを補正し、これを映像信号Ｖid-outとして出力する。一方、補正部３０６は、映像信号Ｖid-dの階調レベルが第１階調レベルを超える暗画素である場合、判別部３０４６から供給されるフラグＱが“１”であるときの第２及び第４フィールドに相当する期間の場合、及び判別部３０４６から供給されるフラグＱが“０”である場合には、映像信号を補正することなく、映像信号Ｖid-dをそのまま映像信号Ｖid-outとして出力する。ここでは、補正部３０６は、図１０に右下がりの斜線で示した暗画素の映像信号を補正する。映像信号Ｖid-inが、図１１（ａ）に示すように、１フレーム、第２フレーム、第３フレームと進むにつれて、画像が図中左から右に向かって１画素ずつスクロール移動する画像の表示を指定するものである場合、補正部３０６は、図１１（ｂ）に示すように、各フレームの第１、第３フィールドにおいて補正対象画素の映像信号を補正する。ここにおいて、図１１（ｂ）に示すように、補正対象境界に隣接する暗画素をｐ１とし、暗画素ｐ１から補正対象境界の反対方向に暗画素ｐ２，ｐ３が順に並んでいるものとする。
【００４４】
次に補正部３０６がどのような補正電圧を指定する映像信号に補正するのかを、図１２を参照しつつ説明する。図１２に示すように、補正前において、暗画素ｐ１の映像信号により指定される印加電圧が０．９Ｖ、暗画素ｐ２の映像信号により指定される印加電圧が１．６Ｖ、暗画素ｐ３の映像信号により指定される印加電圧が０Ｖであったとする。この場合、補正部３０６は、これら各暗画素の印加電圧を図７の表の「オリジナル階調に対応する印加電圧」に対応させて、補正電圧を設定する。よって、補正部３０６は、第１、第３フィールドにおいて、暗画素ｐ１の映像信号を補正電圧２．２Ｖを指定する映像信号に補正し、暗画素ｐ２の映像信号を補正電圧１．９Ｖを指定する映像信号に補正し、暗画素ｐ３の映像信号を補正電圧２．５Ｖを指定する映像信号に補正する。
なお補正部３０６は、例えば補正前の映像信号の階調レベルと補正後の映像信号の階調レベルとの関係を規定したルックアップテーブルを参照して、補正後の映像信号の階調レベルを決定するとよい。
補正部３０６の補正処理の説明は以上である。
【００４５】
Ｄ／Ａ変換器３０８は、デジタルデータである映像信号Ｖid-outを、アナログのデータ信号Ｖxに変換する。本実施形態では、面反転方式としているので、データ信号Ｖxの極性は、液晶パネル１００で１コマ分の書き替え毎に切り替えられる。
【００４６】
次に、液晶表示装置１の表示動作について説明すると、上位装置からは映像信号Ｖid-inが、フレームにわたって１行１列〜１行ｎ列、２行１列〜２行ｎ列、３行１列〜３行ｎ列、…、ｍ行１列〜ｍ行ｎ列の画素の順番で、供給される。映像処理回路３０は、映像信号Ｖid-inを遅延・補正等の処理をして映像信号Ｖid-outとして出力する。
ここで、１行１列〜１行ｎ列の映像信号Ｖid-outが出力される水平有効走査期間（Ｈa）でみたときに、処理された映像信号Ｖid-outは、奇数フィールドか偶数フィールドかに応じてフィールド毎に書込極性が入れ替わるように、Ｄ／Ａ変換器３０８によって、図５（ｂ）で示すように正極性または負極性のデータ信号Ｖxに変換される。第１フィールドでは正極性のデータ信号に変換される。このデータ信号Ｖxは、データ線駆動回路１４０によって１〜ｎ列目のデータ線１１４にデータ信号Ｘ1〜Ｘnとしてサンプリングされる。
一方、１行１列〜１行ｎ列の映像信号Ｖid-outが出力される水平走査期間では、走査制御回路２０が走査線駆動回路１３０に対し走査信号Ｙ１だけをＨレベルとなるように制御する。走査信号Ｙ１がＨレベルであれば、１行目のＴＦＴ１１６がオン状態になるので、データ線１１４にサンプリングされたデータ信号は、オン状態にあるＴＦＴ１１６を介して画素電極１１８に印加される。これにより、１行１列〜１行ｎ列の液晶素子には、それぞれ映像信号Ｖid-outで指定された階調レベルに応じた正極性電圧が書き込まれる。
【００４７】
続いて、２行１列〜２行ｎ列の映像信号Ｖid-inは、同様に映像処理回路３０によって処理されて、映像信号Ｖid-outとして出力されるとともに、Ｄ／Ａ変換器３０８によって正極性のデータ信号に変換された上で、データ線駆動回路１４０によって１〜ｎ列目のデータ線１１４にサンプリングされる。
２行１列〜２行ｎ列の映像信号Ｖid-outが出力される水平走査期間では、走査線駆動回路１３０によって走査信号Ｙ２だけがＨレベルとなるので、データ線１１４にサンプリングされたデータ信号は、オン状態にある２行目のＴＦＴ１１６を介して画素電極１１８に印加される。これにより、２行１列〜２行ｎ列の液晶素子には、それぞれ映像信号Ｖid-outで指定された階調レベルに応じた正極性電圧が書き込まれる。
以下同様な書込動作が３、４、…、ｍ行目に対して実行され、これにより、各液晶素子に、映像信号Ｖid-outで指定された階調レベルに応じた電圧が書き込まれて、映像信号Ｖid-inで規定される透過像が作成されることなる。
次のフィールドでは、データ信号の極性反転によって映像信号Ｖid-outが負極性のデータ信号に変換される以外、同様な書込動作が実行される。
【００４８】
図５（ｂ）は、映像処理回路３０から、水平走査期間（Ｈ）にわたって１行１列〜１行ｎ列の映像信号Ｖid-outが出力されたときの第１，第２フィールドのデータ信号Ｖxの一例を示す電圧波形図である。本実施形態では、ノーマリーブラックモードとしているので、データ信号Ｖxは、正極性であれば、基準電圧Ｖcntに対し、映像処理回路３０によって処理された階調レベルに応じた分だけ高位側の電圧（図において上矢印（↑）で示す）になり、負極性であれば、基準電圧Ｖcntに対し、階調レベルに応じた分だけ低位側の電圧（図において下矢印（↓）で示す）になる。
詳細には、データ信号Ｖxの電圧は、正極性であれば、白に相当する電圧Ｖw(+)から黒に相当する電圧Ｖb(+)までの範囲で、一方、負極性であれば、白に相当する電圧Ｖw(-)から黒に相当する電圧Ｖb(-)までの範囲で、それぞれ基準電圧Ｖcntから階調に応じた分だけ偏位させた電圧となる。
電圧Ｖw(+)及び電圧Ｖw(-)は、電圧Ｖcntを中心に互いに対称の関係にある。電圧Ｖb(+)及びＶb(-)についても電圧Ｖcntを中心に互いに対称の関係にある。
なお、図５（ｂ）は、データ信号Ｖxの電圧波形を示すものであって、液晶素子１２０に印加される電圧（画素電極１１８とコモン電極１０８との電位差）とは異なる。また、図５（ｂ）におけるデータ信号の電圧の縦スケールは、図５（ａ）における走査信号等の電圧波形と比較して拡大してある。
【００４９】
以上説明した第１実施形態の映像処理回路３０では、１フレーム期間の一部を補正期間とし、暗画素の映像信号を、オリジナル階調の映像信号で指定される印加電圧に応じた補正電圧を指定する映像信号に補正する。その際、映像処理回路３０では、印加電圧が低いほど高い補正電圧を指定する映像信号に補正する。オリジナル階調が低く印加電圧が低い場合には、映像処理回路３０では、リバースチルトドメインの低減効果を高めるため大きく印加電圧を引き上げる補正電圧を採用するが、補正前後で積分透過率は０．７％以下に抑えられ、補正による表示内容の変化はユーザーに知覚されにくい。一方オリジナル階調が高く印加電圧が高い場合においては、リバースチルトドメインが比較的発生しにくいから、補正前後で積分透過率が０．７％以下になるように補正電圧を低く設定しても、リバースチルトドメインは発生しにくい。これにより、１フレーム期間において同一位置にリスク境界が継続して存在しないようになるだけでなく、図２３で説明した補正処理に比べて、リバースチルトドメインを発生しにくくするとともに積分透過率の変化を抑えられ、表示期間毎の液晶素子の透過率変化を抑えつつリバースチルトドメインを低減させるように、各表示期間に対応した映像信号を補正することができる。
【００５０】
＜第１実施形態の変形例１＞
上述した第１実施形態では、補正部３０６は、補正対象となる暗画素の補正電圧をその暗画素の印加電圧に応じて個別に設定していたが、一の補正対象境界から連続するＭ個の暗画素のうちいずれかの暗画素に基づいて設定した補正電圧を、これらＭ個の暗画素で共通に用いてもよい。例えば補正部３０６は、Ｍ個の暗画素のうち印加電圧が最も高い暗画素に応じた補正電圧に設定する。図１３に示すように、補正前において、暗画素ｐ１の映像信号により指定される印加電圧が０．９Ｖ、暗画素ｐ２の映像信号により指定される印加電圧が１．６Ｖ、暗画素ｐ３の映像信号により指定される印加電圧が０Ｖであったとする。この場合補正部３０６は、印加電圧が最も高い暗画素ｐ２に応じて補正電圧を設定し、ここでは１．９Ｖとする。そして補正部３０６は、暗画素ｐ１，ｐ２及びｐ３をそれぞれ補正電圧１．９Ｖを指定する映像信号に補正する。要するに補正部３０６は、Ｍ個の暗画素に対応した補正電圧のうち最も低い補正電圧を共通に用いる。この構成によれば、補正部３０６はＭ個の暗画素から最低電圧の画素を特定して補正電圧を設定すればよいから、暗画素毎に個別に補正電圧を設定する場合に比べて必要な演算処理の量が減る。
【００５１】
＜第１実施形態の変形例２＞
上述した第１実施形態では、映像処理回路３０は、補正対象境界に接する暗画素からこの境界の反対方向へ連続するＭ（Ｍ＝３）個の暗画素を補正対象画素としていたが、補正対象画素数Ｍはいくつであってもよい。具体的には、映像処理回路３０は、Ｍ＝１として補正対象境界に接する暗画素のみの映像信号を補正してもよいし、Ｍ＝２又はＭ＝４以上として、補正対象境界に接する暗画素からこの境界の反対方向へ連続するＭ個の暗画素の映像信号を補正してもよい。
【００５２】
＜第１実施形態の変形例３＞
上述した実施形態では、ＶＡ方式においてチルト方位角θbが４５度である場合を例にとって説明したが、チルト方位角θbが別の角度であってもよい。この場合であってもチルト方位角θbに応じてリスク境界検出部３０４５が検出するリスク境界が異なるだけであり、それ以外は第１実施形態と同様にして映像処理回路３０は動作すればよい。
チルト方位角θbが２２５度であれば、暗画素と明画素とが隣接する場合であって、当該暗画素が、当該明画素に対して反対に左側又は下側に位置する場合、当該暗画素を補正対象画素とすればよい。チルト方位角θbが９０度であれば、暗画素と明画素とが隣接する場合であって、当該暗画素が、当該明画素に対して反対に右側、下側又は上側に位置する場合、当該暗画素を補正対象画素とすればよい。
【００５３】
＜第２実施形態＞
次に、本発明の第２実施形態について説明する。
この実施形態では、映像処理回路３０は、暗画素を補正対象とするのではなく明画素を補正対象とする。そして、映像処理回路３０は、上述した実施形態と同様、１フレーム期間の一部を補正期間とし、明画素の印加電圧に応じた補正電圧を設定する。具体的には、映像処理回路３０は、入力映像信号で指定される明画素の印加電圧が低いほど補正電圧を高くする。
以下の説明において、第１実施形態と同じ構成については同一の符号を付して表し、その説明については適宜省略する。
【００５４】
具体的には、映像処理回路３０は、映像信号Ｖid-inで指定される印加電圧が低いほど明画素に対応する補正電圧を高くする。このような補正処理とすれば、上述した第１実施形態と同様の理由により、映像信号Ｖid-inで指定される印加電圧に応じた補正電圧としない場合に比べて、各フレームで補正による表示内容の変化を目立ちにくくしつつ、リバースチルトドメインの低減効果を高くすることができる。具体的には、補正前後で積分透過率が９５％以上となるように明画素の補正処理が行われれば、補正による表示内容の変化はユーザーに知覚されにくいと考えられる。本実施形態では、積分透過率が９５％（第２閾値積分透過率）以上となるように補正電圧が定められるが、９５％以外の積分透過率の値以上となるように補正電圧が定められてもよい。これにより、リバースチルトドメインが発生しやすい高電位の明画素については、リバースチルトドメインの低減効果を高めるために補正電圧を低くしても表示内容の変化は目立ちにくくなり、リバースチルトドメインが発生しにくい比較的低い電位の明画素については、補正電圧を高くして表示内容の変化を目立ちにくくすることができる。
なお、本実施形態でも、補正部３０６は第１及び第３フィールドにおいて映像信号を補正し、第２及び第４フィールドにおいて映像信号を補正しない。
本実施形態の映像処理回路３０の構成について、上述の第１実施形態と相違する内容を説明する。
【００５５】
判別部３０４６は、遅延回路３０２により遅延して出力された現フレームの映像信号Ｖid-dで示す画像における各画素が、補正対象境界に接する明画素であるか否かを判別する。判別部３０４６は、その判別結果が「Ｙｅｓ」である場合には、この明画素について、出力信号のフラグＱを“１”として出力する。一方で、判別部３０４６は、判別結果が「Ｎｏ」である場合、この明画素について、出力信号のフラグＱを“０”として出力する。
【００５６】
補正部３０６は、映像信号Ｖid-dの階調レベルが予め決められた第２階調レベル（例えば３．４Ｖに対応する階調レベル）以上の場合に、判別部３０４６から供給されるフラグＱが“１”であるときには、１フレーム期間のうち第１及び第３フィールドにおいて、補正対象境界に接する明画素からこの境界の反対方向に連続するＮ個（Ｎは２以上の整数。ここではＮ＝３とする。）の明画素の映像信号Ｖid-dを補正し、これを映像信号Ｖid-outとして出力する。一方、補正部３０６は、映像信号Ｖid-dの階調レベルが第２階調レベル未満の明画素である場合、判別部３０４６から供給されるフラグＱが“１”であるときの第２及び第４フィールドに相当する期間の場合、及び判別部３０４６から供給されるフラグＱが“０”である場合には、映像信号を補正することなく、映像信号Ｖid-dをそのまま映像信号Ｖid-outとして出力する。ここでは、補正部３０６は、図１４にドットで示した明画素の映像信号を補正する。映像信号Ｖid-inが、図１５（ａ）に示すように、１フレーム、第２フレーム、第３フレームと進むにつれて、画像が図中左から右に向かって１画素ずつスクロール移動する画像の表示を指定するものである場合、補正部３０６は、図１５（ｂ）に示すように、各フレームの第１、第３フィールドにおいて補正対象画素の映像信号を補正する。ここにおいて、図１５（ｂ）に示すように、補正対象境界に隣接する明画素をｐ４とし、明画素ｐ４から補正対象境界の反対方向に明画素ｐ５，ｐ６が順に並んでいるものとする。
【００５７】
次に補正部３０６がどのような補正電圧を指定する映像信号に補正するのかを、図１６を参照しつつ説明する。図１６に示すように、補正前において、明画素ｐ４の映像信号により指定される印加電圧が４．８Ｖ、明画素ｐ５の映像信号により指定される印加電圧が４．６Ｖ、明画素ｐ６の映像信号により指定される印加電圧が４．１Ｖであったとする。この場合、補正部３０６は、第１、第３フィールドにおいて、明画素ｐ４の映像信号を補正電圧３．６Ｖを指定する映像信号に補正し、明画素ｐ５の映像信号を補正電圧３．７Ｖを指定する映像信号に補正し、明画素ｐ６の映像信号を補正電圧３．８Ｖを指定する映像信号に補正する。
【００５８】
以上説明した第２実施形態の映像処理回路３０では、１フレーム期間の一部を補正期間とし、明画素の映像信号をオリジナル階調の映像信号で指定される印加電圧に応じた補正電圧を指定する映像信号に補正する。その際、映像処理回路３０では、明画素の映像信号により指定される印加電圧が高いほど低い補正電圧を指定する映像信号に補正する。オリジナル階調が高く印加電圧が高い場合には、映像処理回路３０では、リバースチルトドメインの低減効果を高めるために大きく印加電圧を引き下げる補正電圧を採用するが、補正前後で積分透過率は９５％以上となり、補正による表示内容の変化はユーザーに知覚されにくい。一方、オリジナル階調が低く印加電圧が低い場合においては、リバースチルトドメインが比較的発生しにくいから、補正前後で積分透過率が９５％以上になるように補正電圧を高く設定しても、リバースチルトドメインは発生しにくい。これにより、本実施形態の映像処理回路３０によれば、上述した第１実施形態と同様の理由により、表示期間毎の液晶素子の透過率変化を抑えつつリバースチルトドメインを低減させるように、各表示期間に対応した映像信号を補正することができる。
【００５９】
＜第２実施形態の変形例１＞
上述した第２実施形態では、補正部３０６は、補正対象となる明画素の補正電圧をその明画素の印加電圧に応じて個別に設定していたが、一の補正対象境界から連続するＮ個の明画素のうちいずれかの明画素に基づいて設定した補正電圧を、これらＮ個の明画素で共通に用いてもよい。例えば補正部３０６は、Ｎ個の明画素のうち印加電圧が最も低い明画素に応じた補正電圧に設定するように映像信号を補正する。図１７に示すように、補正前において、明画素ｐ４の映像信号により指定される印加電圧が４．８Ｖ、明画素ｐ５の映像信号により指定される印加電圧が４．６Ｖ、明画素ｐ６の映像信号により指定される印加電圧が４．１Ｖであったとする。この場合補正部３０６は、印加電圧が最も低い明画素ｐ６に応じて補正電圧を設定し、ここでは３．８Ｖとする。そして補正部３０６は、明画素ｐ４，ｐ５及びｐ６をそれぞれ補正電圧３．８Ｖを指定する映像信号に補正する。要するに補正部３０６は、Ｎ個の明画素に対応した補正電圧のうち最も高い補正電圧を共通に用いる。この構成２よれば、補正部３０６はＮ個の明画素から最高電圧の画素を特定して補正電圧を設定すればよいから、明画素毎に個別に補正電圧を設定する場合に比べて必要な演算処理の量が減る。
【００６０】
＜第２実施形態の変形例２＞
上述した第２実施形態では、映像処理回路３０は、補正対象境界に接する明画素からこの境界の反対方向へ連続するＮ（Ｎ＝３）個の明画素を補正対象画素としていたが、補正対象画素数Ｎはいくつであってもよい。具体的には、映像処理回路３０は、Ｎ＝１として補正対象境界に接する明画素のみの映像信号を補正してもよいし、Ｎ＝２又はＮ＝４以上として、補正対象境界に接する明画素からこの境界の反対方向へ連続するＮ個の明画素の映像信号を補正してもよい。
【００６１】
＜第２実施形態の変形例３＞
上述した第２実施形態では、ＶＡ方式においてチルト方位角θbが４５度である場合を例にとって説明したが、＜第１実施形態の変形例３＞の項でも説明したように、チルト方位角θbが別の角度であってもよい。
【００６２】
＜第３実施形態＞
次に、本発明の第３実施形態について説明する。
この実施形態では、映像処理回路３０は、上述した第１実施形態のように暗画素を補正対象とするともに、上述した第２実施形態のように明画素を補正対象とする。すなわち映像処理回路３０は、上述した第１及び第２実施形態で説明した双方の構成を有するとともに、これら各実施形態で説明した動作の双方を行えばよい。
以下の説明において、第１実施形態及び第２実施形態と同じ構成については同一の符号を付して表し、その説明については適宜省略する。続いて、本実施形態の映像処理回路３０の構成について、上述の第１実施形態及び第２実施形態と相違する内容を説明する。
【００６３】
判別部３０４６は、遅延回路３０２により遅延して出力された現フレームの映像信号Ｖid-dで示す画像における各画素が、補正対象境界に接する暗画素又は明画素のいずれかであるか否かを判別する。判別部３０４６は、その判別結果が「Ｙｅｓ」である場合には、この明画素について、出力信号のフラグＱを“１”として出力する。一方で、判別部３０４６は、判別結果が「Ｎｏ」である場合、この明画素について、出力信号のフラグＱを“０”として出力する。
【００６４】
補正部３０６は、判別部３０４６から供給されるフラグＱが“１”である場合、補正対象境界に接する画素が暗画素であれば、上述した第１実施形態で説明した手順によりこの暗画素の映像信号を補正し、補正対象境界に接する画素が明画素であれば、上述した第２実施形態で説明した手順によりこの明画素の映像信号を補正する。ここで、補正部３０６は、図８（ａ）及び図８（ｂ）に示すように変化する映像信号Ｖid-dで示す画像については、図１８に右下がりの斜線で示した暗画素及びドットで示した明画素の映像信号を補正する。映像信号Ｖid-inが、図１９（ａ）に示すように、１フレーム、第２フレーム、第３フレームと進むにつれて、画像が図中左から右に向かって１画素ずつスクロール移動する画像の表示を指定するものである場合、補正部３０６は、図１９（ｂ）に示すように、各フレームの第１、第３フィールドにおいて補正対象画素の映像信号を補正する。暗画素ｐ１〜ｐ３及び明画素ｐ４〜ｐ６の意味及び補正処理の内容は、上述した第１及び第２実施形態と同じである。
【００６５】
以上説明した第３実施形態の映像処理回路３０によれば、第１及び２実施形態と同等の効果を奏するとともに、隣接する暗画素及び明画素のそれぞれを横電界の強度を低くする方向に補正することができるので、暗画素及び明画素の補正による映像信号の変化を抑えつつ、リバースチルトドメインを低減する効果を大きくすることができる。
【００６６】
＜第３実施形態の変形例＞
上述した第１実施形態の変形例１〜３及び上述した第２実施形態の変形例１〜３の構成は、この第３実施形態の映像処理回路３０にも適用することができる。
【００６７】
＜変形例＞
本発明は、上述した実施形態と異なる形態で実施することが可能である。以下、上述した第１〜第３実施形態で共通に採用することができる変形例を主に説明する。また、以下に示す変形例は、各々を適宜に組み合わせてもよい。
（変形例１）
上述した各実施形態において、映像処理回路３０は、現フレームにおいて暗画素と明画素とが隣接する境界を検出し、該検出した境界のうち、前フレームから現フレームにかけて１画素（縦又は横方向）だけ移動したリスク境界に接する画素を補正対象としてもよい。既に説明したように、明画素を背景とした暗画素の領域がフレーム毎に２画素以上ずつ移動するときに、このような尾引き現象は顕在化しにくい。そこで、映像処理回路３０の適用境界決定部３０４４は、前フレームから現フレームにかけて変化した境界のうち、前フレームから現フレームにかけて１画素だけ移動した境界を適用境界と決定し、それ以外の境界を適用境界としない。この変形例１の構成によれば、補正部３０６は、前フレームから現フレームにかけて１画素だけ移動した境界を適用境界に該当する補正対象境界に基づいて、リバースチルトドメインに起因する表示上の不具合が目立ちやすい画素に絞って、映像信号を補正することができる。これにより、リバースチルトドメインの低減効果を享受しつつ、映像信号の補正による表示内容の変化の発生を更に抑えることができる。
【００６８】
（変形例２）
上述した各実施形態において、映像処理回路３０は、液晶素子１２０の温度に応じた補正電圧を設定するようにしてもよい。例えば液晶表示装置１は液晶パネル１００の温度を検知する温度センサーを予め有しているものとする。そして補正部３０６は、温度センサーにより検知された温度に応じた補正電圧を設定する。
液晶分子には温度に応じて粘度が変化するという特性があり、同じ電圧を液晶素子に印加した場合であっても、温度が低いほど粘度が高くなり液晶素子の透過率は変化しにくい。そこで補正部３０６は、暗画素の映像信号を補正する場合には、温度センサーにより検知された温度が低いほど補正電圧を高くするとよい。また、補正部３０６は、明画素の映像信号を補正する場合には、温度センサーにより検知された温度が低いほど補正電圧を低くしてもよい。補正部３０６は、例えばオリジナル階調から補正電圧を設定するとこの補正電圧に温度に応じたパラメータを作用させて、最終的な補正電圧を設定する。最終的な補正電圧の設定方法について具体的手法は特に問わないが、例えば補正部３０６は、暗画素については温度が低いほど印加電圧を高くするように、補正電圧を所定割合（例えば１０％）だけかさ上げしてもよい。また、温度とかさ上げ分との対応関係を規定したテーブルを予め記憶していて、補正部３０６がこのテーブルを参照して最終的な補正電圧を設定してもよい。補正部３０６が明画素については温度が低いほど補正電圧を低くする場合にも、これと同様の構成を採ることができる。
なお、補正部３０６は、液晶素子１２０の温度を示す情報を取得し、取得した情報が示す温度に応じて補正電圧を設定すればよく、上記以外の位置に設けられた温度センサーから温度を示す情報を取得してもよい。
【００６９】
（変形例３）
上述した各実施形態の映像処理回路３０では、１フレームを構成する４つのフィールドのうち、第１及び第３フィールドを補正期間とし、第２及び第４フィールドを非補正期間としていたが、例えば、第２及び第４フィールドを補正期間とし、第１及び第３フィールドを非補正期間としてもよい。また、映像処理回路３０は、映像信号を補正するフィールド数をいくつにしてもよく、この場合であっても、映像処理回路３０は補正期間と非補正期間とを交互にして、映像信号を補正するとよい。
また、映像処理回路３０は、１フレーム期間のすべてのフィールドで映像信号を補正してもよいが、少なくとも一部の期間においては、液晶素子１２０の印加電圧に応じた補正電圧を指定する映像信号に補正する。
他の期間とで補正電圧を異ならせるようにする。
また、上述の第３実施形態のように映像処理回路３０が暗画素及び明画素を補正する場合、暗画素については第１、第３フィールドで補正し、明画素については第２、第４フィールドで補正するなど、暗画素と明画素とで補正期間を異ならせてもよい。
【００７０】
（変形例４）
上述した各実施形態では、映像処理回路３０は、補正対象境界の条件として、適用境界であり、且つ、リスク境界に該当することを条件としていた。これに代えて、映像処理回路３０は、適用境界又はリスク境界の一方を補正対象境界の条件から除外してもよい。すなわち映像処理回路３０は、適用境界を補正対象境界としてもよいし、リスク境界を補正対象境界としてもよい。また、映像処理回路３０は、適用境界及びリスク境界の双方を補正対象境界の条件から除外してもよい。すなわち映像処理回路３０は、隣接する暗画素と明画素との境界のすべてを補正対象境界としてもよい。本発明では、隣接する暗画素と明画素との境界の一部又は全部を補正対象境界とすることができる。どの条件を満たす境界を補正対象境界とするかについては、例えば、補正画素数とリバースチルトドメインの低減効果とのバランスに応じて予め決められればよい。
なお、映像処理回路３０は、適用境界又はリスク境界を検出する必要のない場合は、境界検出に必要な構成を有していなくてよい。
【００７１】
（変形例５）
上述した各実施形態において、暗画素は液晶素子１２０に対する印加電圧が電圧範囲Ａにある画素であり、明画素は液晶素子１２０の印加電圧が電圧範囲Ｂにある画素であったが、暗画素及び明画素はこれ以外の条件によって決められてもよい。例えば、液晶素子１２０の印加電圧（第１電圧）が予め決められた閾値電圧（第３閾値電圧）以上である画素を暗画素（第１画素）とし、液晶素子１２０の印加電圧（第２電圧）がこの閾値電圧よりも大きい閾値電圧（第４閾値電圧）以上である画素を明画素（第２画素）としてもよい。暗画素及び明画素は、隣接する２つの画素であって、液晶素子１２０の或る印加電圧を指定する画素と、液晶素子１２０に対してこれよりも大きい印加電圧を指定する画素との組み合わせで構成され、それ以外の条件については変更されてもよい。
【００７２】
（変形例６）
上述した各実施形態において、「境界に接している」とは、画素の一辺が境界に接している場合のことをいっていたが、画素の一角において縦横に連続する境界が位置している場合も含むようにしてもよい。このようにすれば、上述した各実施形態の場合に比べて補正画素数が増加するものの、例えば画像が斜めに移動した場合におけるリバースチルトドメインの低減効果が高まると考えられる。
【００７３】
（変形例７）
補正部３０６が映像信号を補正する場合に、表示領域１０１の画像の明るさに応じた階調レベルの映像信号に補正してもよい。例えば、補正部３０６は、表示領域１０１の明るさの指標となる情報を取得し、取得した情報により定まる明るさのレベルが高い（つまり、明るい）ほど、補正後の映像信号の階調レベルを高くする。このようにするのは、表示領域１０１が明るいほど、補正による階調レベルの変化が目立ちにくいためであり、リバーススチルトドメインの低減を優先させるために補正後の階調レベルを高くしても表示内容の変化がユーザーに知覚されにくい、ということである。表示領域１０１の明るさの指標となる情報としては、表示領域１０１周辺の映像表示環境の明るさ（例えば照度）がある。この場合、液晶表示装置１に設けられた光センサーの検知結果を補正部３０６が取得して、補正部３０６は補正後の階調レベルを決定すればよい。これ以外にも、補正部３０６は、入力映像信号の階調レベルを、明るさの指標となる情報（例えば、１フレームの入力映像信号の階調レベルの平均値）として取得してもよい。高階調レベルの映像信号の画像を表示する場合ほど、表示領域１０１も明るくなるからである。また、補正部３０６は、表示領域１０１に表示される画像の明るさ又はコントラスト比を規定する複数の映像表示モードのいずれかを指定するモード情報を取得してもよい。補正部３０６は、映像表示モードで定まる輝度又はコントラスト比に応じた補正量を用いる。この場合、補正部３０６は、いわゆるダイナミックモード＞通常モード＞省電力モードの順で階調レベルを高くするといった具合に、表示モードに応じた階調レベルの映像信号に補正すればよい。
また、補正後の映像信号（液晶素子１２０の印加電圧）の決定の仕方について、補正部３０６は、ルックアップテーブルを参照する構成のほか、演算式を用いて算出する構成などであってもよい。
【００７４】
（変形例８）
上述した各実施形態では、液晶１０５にＶＡ方式を用いた例について説明したがＴＮ方式としてもよい。
【００７５】
（変形例９）
上述した各実施形態の液晶表示装置１が、Ｒ（赤）色、Ｇ（緑）色、Ｂ（青）色といった複数の色成分の画像を表示可能である場合、色成分毎に補正電圧を異ならせてもよい。例えばＧ色は、Ｒ色及びＢ色に比べて補正による映像信号の変化がユーザーに知覚されにくいので、映像処理回路３０は補正による印加電圧の変化を大きくしてもよい。
【００７６】
（変形例１０）
また、本発明の映像処理回路は、４倍速駆動に限られず、例えば２倍速や８倍速駆動などの倍速駆動を採用する液晶表示装置にも適用可能である。また、本発明の映像処理回路は、倍速駆動を採用する液晶表示装置に適用されるものでなくてもよい。例えば、映像処理回路は、１コマ分の映像信号Ｖid-inに対応した表示期間（例えば、複数フレーム期間）の少なくとも一部を補正期間（例えば、１フレーム期間）とすればよい。
【００７７】
（変形例１１）
上述した各実施形態において、映像信号Ｖid-inは、画素の階調レベルを指定するものとしたが、液晶素子の印加電圧を直接的に指定するものとしてもよい。映像信号Ｖid-inが液晶素子の印加電圧を指定する場合、指定される印加電圧によって境界を判別して、電圧を補正する構成とすればよい。
また、各実施形態において、液晶素子１２０は、透過型に限られず、反射型であってもよい。
【００７８】
＜電子機器＞
次に、上述した各実施形態に係る液晶表示装置を用いた電子機器の一例として、液晶パネル１００をライトバルブとして用いた投射型表示装置（プロジェクター）について説明する。図２０は、このプロジェクターの構成を示す平面図である。
この図に示すように、プロジェクター２１００の内部には、ハロゲンランプ等の白色光源からなるランプユニット２１０２が設けられている。このランプユニット２１０２から射出された投射光は、内部に配置された３枚のミラー２１０６及び２枚のダイクロイックミラー２１０８によってＲ色、Ｇ色、Ｂ色の３原色に分離されて、各原色に対応するライトバルブ１００Ｒ、１００Ｇ及び１００Ｂにそれぞれ導かれる。なお、Ｂ色の光は、他のＲ色やＧ色と比較すると、光路が長いので、その損失を防ぐために、入射レンズ２１２２、リレーレンズ２１２３及び出射レンズ２１２４からなるリレーレンズ系２１２１を介して導かれる。
【００７９】
このプロジェクター２１００では、液晶パネル１００を含む液晶表示装置が、Ｒ色、Ｇ色、Ｂ色のそれぞれに対応して３組設けられる。ライトバルブ１００Ｒ、１００Ｇ及び１００Ｂの構成は、上述した液晶パネル１００と同様である。Ｒ色、Ｇ色、Ｂ色のそれぞれの原色成分の階調レベルを指定するに映像信号がそれぞれ外部上位回路から供給されて、ライトバルブ１００Ｒ、１００Ｇ及び１００がそれぞれ駆動される構成となっている。
ライトバルブ１００Ｒ、１００Ｇ、１００Ｂによってそれぞれ変調された光は、ダイクロイックプリズム２１１２に３方向から入射する。そして、このダイクロイックプリズム２１１２において、Ｒ色及びＢ色の光は９０度に屈折する一方、Ｇ色の光は直進する。したがって、各原色の画像が合成された後、スクリーン２１２０には、投射レンズ２１１４によってカラー画像が投射されることとなる。
【００８０】
なお、ライトバルブ１００Ｒ、１００Ｇ及び１００Ｂには、ダイクロイックミラー２１０８によって、Ｒ色、Ｇ色、Ｂ色のそれぞれに対応する光が入射するので、カラーフィルタを設ける必要はない。また、ライトバルブ１００Ｒ、１００Ｂの透過像は、ダイクロイックプリズム２１１２により反射した後に投射されるのに対し、ライトバルブ１００Ｇの透過像はそのまま投射されるので、ライトバルブ１００Ｒ、１００Ｂによる水平走査方向は、ライトバルブ１００Ｇによる水平走査方向と逆向きにして、左右を反転させた像を表示する構成となっている。
【００８１】
電子機器としては、図２０を参照して説明したプロジェクターの他にも、テレビジョンや、ビューファインダー型・モニター直視型のビデオテープレコーダー、カーナビゲーション装置、ページャー、電子手帳、電卓、ワードプロセッサー、ワークステーション、テレビ電話、ＰＯＳ端末、デジタルスチルカメラ、携帯電話機、タッチパネルを備えた機器等などが挙げられる。そして、これらの各種の電子機器に対して、上記液晶表示装置が適用可能なのは言うまでもない。
【符号の説明】
【００８２】
１…液晶表示装置、３０…映像処理回路、１００…液晶パネル、１００ａ…素子基板、１００ｂ…対向基板、１０５…液晶、１０８…コモン電極、１１８…画素電極、１２０…液晶素子、３０２…遅延回路、３０４…境界検出部、３０４１…現フレーム境界検出部、３０４２…前フレーム境界検出部、３０４３…保存部、３０４４…適用境界決定部、３０４５…リスク境界検出部、３０４６…判別部、３０６…補正部、３０８…Ｄ／Ａ変換器、２１００…プロジェクター
【図１】
2013205493.tif 000003
【図２】
2013205493.tif 000004
【図３】
2013205493.tif 000005
【図４】
2013205493.tif 000006
【図５】
2013205493.tif 000007
【図６】
2013205493.tif 000008
【図７】
2013205493.tif 000009
【図８】
2013205493.tif 000010
【図９】
2013205493.tif 000011
【図１０】
2013205493.tif 000012
【図１１】
2013205493.tif 000013
【図１２】
2013205493.tif 000014
【図１３】
2013205493.tif 000015
【図１４】
2013205493.tif 000016
【図１５】
2013205493.tif 000017
【図１６】
2013205493.tif 000018
【図１７】
2013205493.tif 000019
【図１８】
2013205493.tif 000020
【図１９】
2013205493.tif 000021
【図２０】
2013205493.tif 000022
【図２１】
2013205493.tif 000023
【図２２】
2013205493.tif 000024
【図２３】
2013205493.tif 000025
【図２４】
2013205493.tif 000026